(57)【特許請求の範囲】
【請求項１】
通水濾過性シート材料からなり、互いに対向する２面部（３，４）を有し、かつ上端に開口部（６）を有する濾過袋本体（２）と、前記濾過袋本体の両面にそれぞれ一個ずつ固定された一対の係止部材（５）とを有し、前記一対の係止部材が、前記濾過袋本体の両面に固定された一対の支持体（８）と、この支持体から前記濾過袋の横方向に沿って引き起こし可能に伸び出ている１対の係止片（９）からなり、前記支持体は、前記係止片に連続してこれを支持し、前記濾過袋の縦方向に伸びる係止片支持部（８ａ）と、この係止片支持部の上下端部分から、前記係止片の上辺および下辺に沿って伸び出ている上下１対の保形部（８ｂ，８ｃ）とを有し、前記１対の係止片が、それぞれ１個の係止用凹部（９ａ）を有している抽出バッグにおいて、
前記支持体の係止片支持部に、その縦方向に沿って伸びる１個以上の補強用畝（１０）が形成されていることを特徴とする抽出バッグ。
【請求項２】
前記係止片の各々に、その伸び出し方向にほぼ平行に伸びる１個以上の補強用畝（１２）が形成されている、請求項１に記載の抽出バッグ。
【請求項３】
前記係止片とそれに連続している前記支持体との境界部に１本の折り曲げ用溝（１１）が連続して、又は断続して形成されている、請求項１又は２に記載の抽出バッグ。
【請求項４】
前記濾過袋本体の底部にマチ（７）が形成され、未使用時には内側に折り込まれている、請求項１に記載の抽出バッグ。
【請求項５】
前記濾過袋本体中に、被抽出物質（１４）が収容され、かつ、前記濾過袋本体の上端開口部が封止されている、請求項１に記載の抽出バッグ。
【請求項６】
前記被抽出物質がコーヒー粉末であり、前記濾過袋本体の封止上端部に引き裂き用ミシン目（６ａ）が形成されている、請求項５に記載の抽出バッグ。
【発明の詳細な説明】
【０００１】
【発明の属する技術分野】
本発明は、飲料抽出バッグに関するものである。更に詳しく述べるならば、本発明は、コーヒー、紅茶、緑茶その他の飲用材料を、水又は熱湯等で抽出するための飲料抽出バッグに関するものである。本発明の飲料抽出バッグは、特に抽出に際し、その上端を開口し、その１対の係止片を引き起してカップ等の容器の上縁部に係止し、バッグの開口状態を安定に維持しながら抽出するのに好適なものである。
【０００２】
【従来の技術】
従来の飲料抽出バッグの大多数は、濾紙袋本体内にコーヒー粉、又は茶葉などを収容し、この濾紙袋本体の両面上半部に厚紙製の支持枠を取りつけたものであって、このような飲料抽出バッグは、例えば、特開平４−１３５６８号公報などに開示されている。しかしながら、上記の構成を有する飲料抽出バッグにおいて、その支持枠は、カップなどの容器の上縁部に載置されるだけで係止されていないため、抽出バッグの支持状態が不安定であって、このためその上方から熱湯を注下する際に抽出バッグが滑り、時には容器から外れ易いという不都合があった。また上記のような従来の抽出バッグにおいては、その開口状態を安定に維持することが難しく、抽出操作を円滑に行うことが困難であった。さらに、上記のような従来の抽出バッグにおいては、支持枠の腕部が、濾過袋の外に伸び出しているため、抽出バッグの寸法が大きくなり、従って、それを収容する外装袋の寸法も大きくなり経済的不利を生ずるなどの問題点も有していた。
【０００３】
【発明が解決しようとする課題】
本発明は、飲料の抽出操作が簡単容易であり、カップなどの容器の上縁部に安定して係止することができ、かつその開口部を広く安定して維持することができる飲料抽出バッグを提供しようとするものである。
本発明は、さらに、カップなどの容器の上縁部に対する係止状態がきわめて安定しており、このため抽出の際に、バッグ内の被抽出物を攪拌することが可能な飲料抽出バッグを提供しようとするものである。
【０００４】
【課題を解決するための手段】
本発明は、飲料抽出バッグの係止片支持部に補強用畝を設け、さらに必要により、係止片にも補強用畝を設けることによって、抽出バッグの係止状態を安定化し、それによって上記課題の解決に成功したものである。
【０００５】
本発明の飲料抽出バッグは、通水濾過性シート材料からなり、互いに対向する２面部を有し、かつ上端に開口部を有する濾過袋本体と、前記濾過袋本体の両面にそれぞれ一個ずつ固定された一対の係止部材とを有し、前記一対の係止部材が、前記濾過袋本体の両面に固定された一対の支持体と、この支持体から前記濾過袋の横方向に沿って引き起こし可能に伸び出ている１対の係止片からなり、前記支持体は、前記係止片に連続してこれを支持し、前記濾過袋の縦方向に伸びる係止片支持部と、この係止片支持部の上下端部分から、前記係止片の上辺および下辺に沿って伸び出ている上下１対の保形部とを有し、前記１対の係止片が、それぞれ１個の係止用凹部を有している抽出バッグにおいて、
前記支持体の係止片支持部に、その縦方向に沿って伸びる１個以上の補強用畝が形成されていることを特徴とするものである。
【０００６】
本発明の抽出バッグにおいて前記係止片の各々に、その伸び出し方向にほぼ平行に伸びる１個以上の補強用畝が形成されていることが好ましい。
また、本発明の抽出バッグにおいて前記係止片とそれに連続している前記支持体との境界部に１本の折り曲げ用溝が連続して、又は断続して形成されていることが好ましい。
さらに、本発明の抽出バッグにおいて前記濾過袋本体の底部にマチが形成されており、未使用時には内側に折り込まれていることが好ましい。
本発明の抽出バッグは、前記濾過袋本体中に、被抽出物質が収容され、かつ、前記濾過袋本体の上端開口部が封止されているものであってもよい。
上記本発明の抽出バッグにおいては、前記被抽出物質がコーヒー粉末であり、前記濾過袋本体の封止上端部に引き裂き用ミシン目が形成されていることが好ましい。
【０００７】
【発明の実施の形態】
本発明の飲料抽出バッグの構成を添付図面を参照して詳しく説明する。
図１には、本発明の飲料抽出バッグの一実施態様の正面説明図であって、抽出バッグ１の濾過袋本体２は、通水濾過性シート材料からなり、互に対向する２面部、すなわち表面部３および背面部４を有している。濾過袋本体２の表背面部３，４の各々に、それぞれ１個づつ１対の係止部材５が固定されている。この係止部材５の中心は、濾過袋本体２の表背面部３，４の各々の、中心よりも上側にかたよって配置されていることが好ましい。濾過袋本体２の上端６は、濾過袋本体２中に被抽出物を収容し封止するまでは、開口している。また、濾過袋本体２の底部は、マチ７が形成されていることが好ましく、抽出バッグの未使用状態においては、内側に折り込まれており、この折り込み端７ａが、図１において点線により示されている。
【０００８】
本発明の抽出バッグにおいて、１対の係止部材５の各々は、図１に示されているように、濾過袋本体２の１面に固定された支持体８と、この支持体から、濾過袋本体の横方向に沿って、引き起し可能に伸び出ている係止片９からなるものである。この支持体８は、係止片９に連続してこれを支持し、濾過袋本体２の縦方向に伸びる係止片支持部８ａと、この係止片支持部８ａの上下両端部から、係止片９の上辺および下辺に沿って伸び出ている上下１対の保形部８ｂ，８ｃとを有している。また１対の係止片９の各々には、１個の係止用凹部９ａが形成されている。このような係止片９は、係止部材５に係止片９が支持体８８係止片支持部８ａのみに連続し、保形部８ｂ，８ｃから分離し得るように切り込みを入れることによって形成することができる。
【０００９】
本発明の抽出バッグ１において、支持体８の係止片支持部８ａには、その縦方向に沿って伸びる１個以上の、好ましくは１〜３個の、補強用畝１０が形成されていて、それによって係止片支持部８ａが補強されている。この補強用畝１０は、係止片支持部８ａの上端部から下端部まで連続して伸びていてもよいし、或は、図１に示されているように２以上の部分に分かれて断続的畝を形成していてもよい。また、補強用畝１０は波板状（畝の裏側は溝を形成している）に形成されていてもよい。さらに、係止片９と、それに連続している係止片支持部８ａとの境界部には、折り曲げ線が形成されていてもよく、この折り曲げ線は、図１に点線により示されているように折り曲げ用溝１１を形成していてもよい。またこの折り曲げ線は連続していてもよく、或は断続していてもよい。
濾過袋本体２内に被抽出材料が収容され、濾過袋本体２の上端開口部６が封止されている場合、この封止上端部分に引き裂き用ミシン目６ａを設けて、このミシン目に沿って、封止上端部を引き裂き易いようにしてもよい。或は、上記引き裂き用ミシン目に代えて、表・背面部の上端を剥離可能に接着、又は融着してもよい。
【００１０】
本発明の抽出バッグの濾過袋本体を形成する通水濾過性シートは、耐水性のある濾過シート、例えば、メルトブロー法、スパンボンド法又はサーマルボンド法で作られ、かつ抽出原料中に含まれる微粒子の漏出防止や油脂分の吸着除去性に優れている不織布を用いることが好適で、これらを形成する熱可塑性ポリマーとしては、ポリオレフィン系、ポリエステル系、ポリアミド系等を使用することが好ましく、これらの中でもポリエチレン、ポリプロピレン等から選ばれたものが最も好ましい。また、係止部材を形成する材料は、実用上十分な耐水性を有し、変形（湾曲）が容易で、かつその形状を保持できるシート材料、例えば十分な厚みのある白板紙、紙コップ用シート或いはプラスチック製シート等から選ぶことができる。係止部材の支持体は、濾過袋本体に接着されているか、この接着層は、実用上十分な耐水性を有することが必要で、例えば熱接着型のポリオレフィン共重合樹脂、エチレン−アルキルアクリレート共重合樹脂、エチレン−酢酸ビニル共重合樹脂或いはポリエステル共重合樹脂などによって接着されていることが好ましい。
【００１１】
本発明の抽出バッグを用いて抽出を行う場合の状況が図２に示されている。図２において、濾過袋本体２の上端が封止されているときは、これを開放し、濾過袋本体２の表面部３および背面部４の１対の係止片９を、係止片支持部８ａの折り曲げ線１１において外側に折り曲げて、係止片９を引き起す。この係止片９の引き起し操作は、折り曲げ線１１を軸にして、係止片９を外側に旋回させ、濾過袋本体２の表・背面部３，４の接続側線１２をはさんでその両側外方に引張るように行われるから、この操作により自然に濾過袋上端は開口する。また、濾過袋底部にマチ７が形成されている場合は、係止片９の引き起こしによってこのマチ７も図２に示されているように展張される。しかも、支持部８の上下保形部８ｂ，８ｃは、濾過袋本体２の拡張に伴って容易に変形し、拡張力が解除されても、濾過袋本体２をその拡張形状に保持することができる。
【００１２】
本発明の抽出バッグにおいて、図３に示されているように係止片９の各々に、その伸び出し方向（濾過袋本体の横方向）にほぼ平行に伸びる１個以上の補強用畝１３が形成されていることが好ましい。この補強用畝１３は、係止片９が引き起され、その係止凹部９ａにおいて、カップなどの容器の上縁部に係止され、抽出バッグ、その内容物、および注加された水又は熱湯の重量が係止片９に負荷されたとき、係止片９の変形を防止するようにこれを補強し、抽出バッグを所望の位置および形状に保持するために有効なものである。補強用畝１３の数には格別限定はなく、１個以上、好ましくは、互に平行に２〜５個である。補強用畝１３は、図３に示されているように、係止片の、係止凹部９ａより先端部分のみに形成されていてもよく、或は、これらの補強畝１３が、係止片支持部８ａとの境界線まで延長されていてもよい。補強畝１２は波板状に形成されていてもよい。係止片支持部補強用畝１０および係止片補強用畝１３を、波板状に形成するには、係止部材５用シートの所定位置に、裏側から所定形状のエンボスを施せばよいが、このエンボス処理により当該畝部は圧縮され、その密度が高くなり従ってその曲げ剛性が増大するため、その補強効果が一層増強される。
【００１３】
図４には、本発明の抽出バッグをカップの上縁部に係止して抽出を行う場合の状況が示されている。図４において、抽出バッグ１に被抽出物１４（コーヒーなど）が収容されており、その上端部６が封止されているときは、切り取り、引き裂き、又は剥離により封止を開放し、濾過袋本体２の表・背面部３，４の係止部材５から係止片９を引き起す。このとき、前述のように、係止片を介して、表背面部３，４に、それを外側に拡張する力が作用するから、上端部は開口し、折り込まれた底部のマチは展張する。
【００１４】
上記の抽出バッグの１対の係止片の係止凹部９ａを図４に示されているようにカップ１５の上縁部１５ａに係合すれば、濾過袋本体２は、支持体により、その開口形状に保持され安定してカップ上縁部に係止される。このとき、カップの形状・寸法に応じて、１対の係止片９の開き角度を適宜に調整することにより、カップに適切に係合することができる。
【００１５】
抽出バッグに予じめ被抽出材料が収容されている場合は、上部開口端より水又は熱湯を注入すれば、所望の抽出を行うことができる。また、抽出バッグに予じめ被抽出材料が収容されていない場合は、抽出バッグを開口し、容器に係止した後所望量の被抽出材料を濾過袋本体中に入れ、これに水、又は熱湯を注いで抽出する。また、濾過袋本体底部にマチが設けられているときは、濾過袋本体は、円筒状、又は楕円筒状に拡張し、この形状は、係止片支持部に設けられた補強用畝により安定化されているので係止片は、ほぼ垂直姿勢に保持されるからこの係止片による濾過袋本体の支持状態の安定性が向上し、かつ被抽出材料に対し、効率のよい蒸し効果を与えることができる。また、係止片に補強用畝が形成されている場合には、この係止片をさらに補強し、かつその係止状態を一層安定化させることができる。
【００１６】
【発明の効果】
本発明の飲料抽出バッグにおいて、係止部材から引き起される係止片を支持する係止片支持部が補強用畝により補強され、かつその形状が安定化されているため、抽出バッグをカップなどの容器の上縁に係止して抽出操作を行うときに抽出バッグの係止状態を安定化し、抽出操作の容易性、迅速性および安全性を著るしく向上させることができる。
【図面の簡単な説明】
【図１】図１は本発明の飲料抽出バッグの一例の構成を示す正面説明図。
【図２】図２は図１に示された本発明の飲料抽出バッグの係止片を引き起し、上端部を開口し、底部のマチを展張した状態を示す斜視説明図。
【図３】図３は本発明の飲料抽出バッグの他の例の構成を示す正面説明図。
【図４】図４は図３に示された本発明の飲料抽出バッグを、カップに係止した状態の一例を示す斜視説明図。
【符号の説明】
１…抽出用バッグ
２…濾過袋本体
３（４）…表（背）面部
５…係止部材
６…上端開口部
６ａ…上端引き裂き用ミシン目
７…マチ
７ａ…マチの折り込み端
８…支持体
８ａ…係止片支持部
８ｂ，８ｃ…上下保形部
９…係止片
９ａ…係止凹部
１０…補強用畝
１１…折り曲げ溝
１２…表背面接続側縁
１３…補強用畝
１４…被抽出材料（コーヒーなど）
１５…カップ
１５ａ…カップ上縁部
【図１】
0003635172.tif 000002
【図２】
0003635172.tif 000003
【図３】
0003635172.tif 000004
【図４】
0003635172.tif 000005